(57)【要約】【課題】パソコン制御によるインクジェット印刷方法により被塗装物に直接文字や文様を下書き印刷し得、当該印刷後に加湿乾燥機による乾燥工程を行い、指触乾燥直前に金粉を蒔き付けるか金箔を貼り付けるようにして、量産に適した漆器及び位牌、仏具類のインクジェット式印刷による加飾法を提供する。【解決手段】アラビヤゴム、デキストリン、カルボキシメチルセルローズ等の水溶性糊剤に生漆を添加して得た生漆変性水溶性糊剤をインクメジウムとして、予めレイアウトされた文字や描画をパソコン制御によりインクジェットプリンターにより直接被塗装物に下書き印刷する印刷工程と、当該印刷工程によって下書き印刷された被塗装物を湿度７０％〜８０％ＲＨの加湿乾燥機中に静置する乾燥工程と、指触乾燥直前に金粉を蒔き付けるか金箔を貼り付ける加飾工程から成る。【特許請求の範囲】
【請求項１】
アラビヤゴム、デキストリン、カルボキシメチルセルローズ等の水溶性糊剤に生漆を添加して得た生漆変性水溶性糊剤をインクメジウムとして、予めレイアウトされた文字や描画をパソコン制御によりインクジェットプリンターにより直接被塗装物に下書き印刷する印刷工程と、当該印刷工程によって下書き印刷された被塗装物を湿度７０％〜８０％ＲＨの加湿乾燥機中に静置する乾燥工程と、指触乾燥直前に金粉を蒔き付けるか金箔を貼り付ける加飾工程から成ることを特徴とする、漆器及び位牌、仏具類のインクジェット式印刷加飾法。
【請求項２】
印刷工程において予めレイアウトされた文字や描画を、第一回目印刷を太字又は太書として印刷した後、印刷開始位置の原点に復帰し、第二回目印刷を細字又は細書として下書き印刷するようにしたことを特徴とする、請求項１記載の漆器及び位牌、仏具類のインクジェット式印刷加飾法。
【発明の詳細な説明】
【０００１】
【発明が属する技術分野】
本発明は、漆器及び位牌、仏具類の塗装物にパソコン制御のインクジェット式印刷法によって直接被塗装物に加飾又は印字の下描きを行い、その上に金粉又は金箔を接着させる加飾法に関するものである。
【０００２】
【従来の技術】
従来、漆器及び位牌、仏具類の塗装物に蒔絵や文字書きの加飾を施す場合には、筆書きやシルクスクリーン印刷等で下書きをし、その下書きによる塗面が適度な乾燥状態となった時点で金粉を鹿皮に付着させて蒔き付けたり、あるいは金箔を貼り付けて固着させていた。一方、近年のハイテク技術の進歩の影響により、従来伝統工芸の領域として職人の手作業によっていた加飾作業にも、パソコン制御による自動印刷技術が導入されるようになった。
【０００３】
更に、上記従来の技術を具体的に示すと、先ず、特開平８−８４６５６号の「位牌の製造方法及びその位牌」がある。ここで、当該発明は、手彫り又は手書きによる戒名入れ工程を省きつつも、位牌としての品位や厳かさにマッチした戒名を入れることのできる位牌の製造方法及びその位牌に関するものであり、当該発明の要旨は、コンピュータでシルクスクリーン上に戒名その他の文字、図形などを生成し、このシルクスクリーンで位牌表面上に漆を用いて戒名を印刷し、漆の乾燥前に金粉をまぶした後余分の金粉を取り除いて、戒名の形に金粉を定着させるものであった。
【０００４】
更に続いて具体例を示すと、特開平１０−３０９８９４号の「金箔又は金粉を貼り付ける方法」がある。ここで、当該発明は、仏具、調度品、装飾品、食器などの各種製品に金箔又は金粉を容易かつ廉価に貼り付ける方法に関するものであり、当該発明の第一の要旨は、ＵＶインキを使用して文字又は絵柄の下地を作成する工程と、下地をＵＶインキの粘着性が失われない状態に乾燥する工程と、乾燥させた下地に金箔又は金粉を載せる工程とにより、金色の文字又は絵柄を作成することであり、上記発明の第二の要旨は、ＵＶインキを使用して文字又は絵柄の下地を作成する工程と、下地をＵＶインキの粘着性が失われない状態に乾燥する工程と、乾燥させた下地に金箔又は金粉を載せる工程と、金箔又は金粉の表面に透明被膜を形成する工程とにより、金色の文字又は絵柄を作成するものであった。
【０００５】
一方、パソコン制御による印刷方法は、近年各種産業分野に導入されるようになった。ここで、その印刷方法として広く知られているものとしてインクジェットプリンタがある。このインクジェットプリンタの構造はきわめて簡単であって、主要部はインクジェットヘッドとインク及びインク容器（インクカートリッジ）で、印刷機構としては被印刷体を縦の副走査方向に送る機構と印字ヘッドを左右の主走査方向に移動させる機構からなるものである。次ぎに、インクジェットプリンタの特徴は、インクジェットヘッドから被印刷体にインクを飛ばすということであり、被印刷体に着滴したインクが浸透して定着することによって印刷がなされる。ここで、被印刷体にインクを飛ばす方式としては、電圧が加わると素子が伸縮するピエゾ素子を用い、電圧を制御してインクを噴出させるようにしたオンデマンド・ピエゾ素子駆動方式、電磁バルブの開閉によってインクの噴出を制御するオンデマンド・バルブ方式、ポンプで加圧供給されるインクに対し、噴出時にピエゾ素子によって、一定振動を与えインクを微細なインク滴として飛ばすようにし、印字信号に従ってインク滴を帯電させ、偏向電極間を通過中に電界から影響され、軌道がずれて印字対象に向かってインク滴が飛ばされる連続式・帯電駆動方式等が知られている。
【０００６】
【発明が解決しようとする課題】
ところで従来、漆器及び位牌、仏具類の加飾には高級感が要望され、高級品は職人の手作業による筆書きによるものとされている。しかしながら、卓越した技能を有する職人の高齢化や後継者不足という問題から職人による筆書きには限界性や普及的ではないといった欠点があった。
【０００７】
また、特開平８−８４６５６号の「位牌の製造方法及びその位牌」のように、シルクスクリーン印刷の技術を用いるものは、工業生産的ではあるが、製版が必要であり、戒名のような印字には一品一版となり合理的ではないという課題があった。
【０００８】
更に、特開平１０−３０９８９４号の「金箔又は金粉を貼り付ける方法」のように、ＵＶインキを使用して文字又は絵柄の下地を作成するものも、ＵＶインキによってシルクスクリーン印刷、筆書き、又は塗装方法により金箔文字又は絵柄の下地を作成するものであり、これによって作成された下地をＵＶ乾燥機によって生乾き状態に形成した上で、その上に金箔又は金粉を載せて圧迫し貼り付けるというものである。ここで、上記方法に用いられるＵＶインキは、紫外線の照射により瞬間的に硬化して硬質皮膜を形成する特殊塗料として知られるものであるが、温度の高低により粘度変化が大きいという性質があり、この粘度変化は印刷適性や膜厚に大きな影響を及ぼすものであるから、作業所内室温を一定温度に調整することが望まれるということがある。一方、このＵＶインキによるものもその実施例の記載による如く、パソコン又はワープロでＯＨＰフィルム等でポジの印版を作成する必要があり、戒名の文字印刷は一品一版となり合理的ではないという課題があった。
【０００９】
そこで本発明は、上記従来の技術の項に記載の欠点等に鑑み成されたものであり、本発明の目的は、シルクスクリーン印刷のように予め所要の印版を準備する必要が無く、パソコン制御によるインクジェット印刷方法により被塗装物に直接文字や文様を下書き印刷し得、当該印刷後に加湿乾燥機による乾燥工程を行い、指触乾燥直前に金粉を蒔き付けるか金箔を貼り付けるようにして、量産に適した漆器及び位牌、仏具類のインクジェット式印刷による加飾法を提供することにある。
【００１０】
【課題を解決するための手段】
上記目的を達成するため、本発明に係る漆器及び位牌、仏具類のインクジェット式印刷加飾法は、アラビヤゴム、デキストリン、カルボキシメチルセルローズ等の水溶性糊剤に生漆を添加して得た生漆変性水溶性糊剤をインクメジウムとして、予めレイアウトされた文字や描画をパソコン制御によりインクジェットプリンターにより直接被塗装物に下書き印刷する印刷工程と、印刷工程によって下書き印刷された被塗装物を湿度７０％〜８０％ＲＨの加湿乾燥機中に静置する乾燥工程と、指触乾燥直前に金粉を蒔き付けるか金箔を貼り付ける加飾工程から成ることを要旨とする。ここで、水溶性糊剤を変性する生漆は日本産又は中国産の低粘度品をメチルアルコールで１０倍に希釈した溶液が好ましい。
【００１１】
また、本発明に係る漆器及び位牌、仏具類のインクジェット式印刷加飾法において、その印刷工程で予めレイアウトされた文字や描画を、第一回目印刷を太字又は太書として印刷した後、印刷開始位置の原点に復帰し、第二回目印刷を細字又は細書として下書き印刷するようにしても良い。
【００１２】
【作用】
本発明に係る漆器及び位牌、仏具類のインクジェット式印刷加飾法では、アラビヤゴム、デキストリン、カルボキシメチルセルローズ等の水溶性糊剤に生漆を添加して得た生漆変性水溶性糊剤をインクメジウムとして使用するようにしたので、公知のインクジェットプリンターを使用することができると共に、インクジェットヘッドにおけるインクの目詰まりが生じないよう作用する。
【００１３】
また、本発明に係る漆器及び位牌、仏具類のインクジェット式印刷加飾法では、第一回目印刷を太字又は太書で印刷した後、印刷開始位置の原点に復帰し、第二回目印刷を細字又は細書として印刷することができるので、被塗装物の印刷面におけるインク定着箇所が盛り上がって筆書き類似の肉持ち感が付与できるよう作用する。
【００１４】
【発明の実施の形態】
以下、本発明の実施の形態に基づき更に本発明について詳説するものとする。
【００１５】
第一の実施例は、本発明に係る漆器及び位牌、仏具類のインクジェット式印刷加飾法によって、漆塗り製の重箱の蓋に家紋を金加飾したものである。先ず、この際のインクジェットプリンターに使用されるインクメジウムは、カルボキシルメチルセルローズとアラビヤゴムを等量混合して２０％水溶液にし、これに日本産生漆の１０％溶液を１０％加え、高速撹拌して得た生漆変性水溶性糊剤とした。次ぎに当該インクメジウムを株式会社マスターマインド社製の厚物・素材ダイレクトプリンタのインク容器に充填し、予めパソコンによってレイアウトしてあった梅鉢の家紋を上記塗り製の重箱の蓋に印刷した。続いて、上記印刷の重箱の蓋を温度２０°〜２５°Ｃ、湿度７０％〜８０％ＲＨに維持された漆室に静置し、１時間後に取り出して乾燥状態を調べたところ指触乾燥直前であったため、竹製ピンセットで金箔を貼り付け室温状態で２時間放置した後、加飾部分の周辺に付着した金箔をガソリンで拭き取ったところ、筆書き類似の盛り上がりのある金加飾の梅鉢家紋が形成された。
【００１６】
第二の実施例は、本発明に係る漆器及び位牌、仏具類のインクジェット式印刷加飾法によって、戒名文字を漆塗り位牌の札板に印刷したものである。先ず、この際のインクジェットプリンターに使用されるインクメジウムは、カルボキシルメチルセルローズとデキストリンを等量混合して２０％水溶液にし、これに日本産生漆の１０％溶液を１０％加え、高速撹拌して得た生漆変性水溶性糊剤とした。次ぎに当該インクメジウムを株式会社マスターマインド社製の厚物・素材ダイレクトプリンタのインク容器に充填し、予めパソコンによってレイアウトしてあった戒名文字を漆塗り位牌の札板に印刷した。この際の印刷は、第一回目印刷を太字にて印刷した後、印刷開始位置の原点に復帰し、第二回目印刷を細字として印刷した。続いて、上記印刷の位牌札板を温度２０°〜２５°Ｃ、湿度７０％〜８０％ＲＨに維持された漆室に静置し、１時間後に取り出して乾燥状態を調べたところ指触乾燥直前であったため、上記印刷の戒名文字にパフ状の鹿皮につけた金粉を蒔きつけ室温で２時間放置した後、上記位牌札板の文字部分の周辺に付着した金粉をガソリンで拭き取ったところ、筆書き類似の盛り上がりのある金文字印刷による札板として形成された。
【００１７】
なお、具体的な実施の態様としては記載しないながらも、本発明に係る漆器及び位牌、仏具類のインクジェット式印刷加飾法によって、仏壇部品についても所定模様の金加飾を試したところ、筆書き類似の盛り上がりのある金加飾の所定模様が形成され良好な結果を得ることができた。
【００１８】
【発明の効果】
本発明に係る漆器及び位牌、仏具類のインクジェット式印刷加飾法は以上の構成より成るので、以下のような効果を奏す。
【００１９】
本発明に係る漆器及び位牌、仏具類のインクジェット式印刷加飾法によれば、日本の伝統工芸的な蒔絵や戒名書きにおける特技的創作をパソコン制御によるインクジェットプリンタで被塗装物に直接下書き印刷し、その後の乾燥工程と加飾工程を経た後、筆書き類似の高質印刷を可能とするという効果がある。
【００２０】
また、本発明に係る漆器及び位牌、仏具類のインクジェット式印刷加飾法によれば、上記記載の効果に付随して、従来は職人の特技的職能によるものであった創作を生産性の高い工業製品として製造することを可能ならしめると共に、伝統工芸に従事する職人の高齢化及び後継者不足の問題を解決できるという効果もある。